(57)【要約】【課題】工具等のサイズに応じて効率的且つ速やかに分割収納することができる工具袋を提供する。【解決手段】上記目的は、円筒状の側壁１２ａと底部１２ｃを有する袋状の工具袋本体１２と、底部１２ｃに下縁が底部１２ｃ縁部の所定位置Ｐ２から中央位置Ｐ１まで固着されるとともに側縁が側壁１２ａ内面にスライドファスナーによって着脱自在に接合可能な矩形シート状の間仕切り１４と、を有する工具袋１０により達成される。これにより、スライドファスナーの上下動により工具袋１０内の収納スペースの分割を迅速且つ容易に行うことができ、分割を解除して工具袋１０内全体を一つの収納スペースとして使用することも可能である。更に、間仕切り１４の自由端となっている側縁を側壁１２ａ内面の少なくとも２カ所以上の位置で選択的に接合させることで、簡単な動作で速やかに工具袋１０内の収納スペースの分割領域を変更させることができる。【選択図】図１
2012076182.tif 000002
【特許請求の範囲】
【請求項１】
筒状の側壁と底部を有する袋体として構成された工具袋本体と、
該工具袋本体の内部を区画する矩形シート状の間仕切りと、を有し、
該間仕切りの下縁が、前記底部に該底部縁部の所定の位置から中央近傍まで固着され、
前記間仕切りの一方の側縁が、前記工具袋本体の側壁内面と、前記底部縁部の所定の位置から前記工具袋本体における側壁内面の高さ方向に亘って着脱自在に接合可能とされ、
前記間仕切りにおける他方の側縁が、前記底部縁部の所定の位置とは異なる少なくとも２カ所以上の前記底部縁部の位置で選択的に前記側壁内面と該工具袋本体の高さ方向に亘って着脱自在に接合可能とされたことを特徴とする工具袋。
【請求項２】
前記間仕切りの前記一方の側縁及び前記他方の側縁の前記接合は、各々の接合箇所に設けられたスライドファスナーによって行われることを特徴とする請求項１に記載の工具袋。
【請求項３】
前記間仕切りの前記一方の側縁及び前記他方の側縁の前記接合は、
前記間仕切りの前記一方の側縁及び前記他方の側縁に設けられた側縁面ファスナーと、
前記工具袋本体の側壁内面に設けられた側壁内面面ファスナーとの係着によって行われ、
前記側壁内面面ファスナーは、前記底部縁部の所定の位置から半周に亘って設けられていることを特徴とする請求項１に記載の工具袋。
【発明の詳細な説明】
【技術分野】
【０００１】
本発明は、主として送電線、配電線、電話線、屋内電気工事等の敷設、点検、修理等のために、鉄塔や電柱等の高所における作業時に使用する工具袋に関する。
【背景技術】
【０００２】
送電線鉄塔上等の高所で作業を行う場合、作業に用いる工具や資材（以下、工具等という）は工具袋に入れ、地上から作業場である送電線鉄塔上まで運搬し、そこでそれら工具等を取り出して作業を行う。
【０００３】
従来、この工具等を収容する工具袋は、円筒状の側壁と底部を有する袋体として構成されており、その開口部近傍に工具袋を吊り下げるための吊りロープを取付けた簡単な構造であった。しかし、この構造では、工具袋内部で大小様々な工具等が乱雑に収容されてしまい、作業現場において必要な工具等が他の工具等に紛れて取り出しづらく、更に作業現場は高所であり、例えば、ワイヤ等の巻回資材を取り出す際に、この資材に引っ掛かった工具等が工具袋から地上へ向けて落下するおそれがあった。
【０００４】
そこで、特許文献１には、側壁内面に工具収納ポケットを取り付けた工具袋５０が開示されている。図５は、従来の工具収納ポケットを取り付けた工具袋５０を示す図である。図示のように、工具袋５０には、その側壁内面に沿って区画された収納ポケット５２、５４及び５６が設けられており、これによりボルト、ナット、ペンチ等の工具等をそれぞれ別々に収納可能となっており、工具等の取り出し性が向上している。従って、工具袋５０の中央部にはこれらボルト等とは別にワイヤ等の巻回資材のみを収容することができるので、ワイヤ等の取り出しの際にこれらボルト等が引っ掛かり、ボルト等が工具袋５０から落下するというおそれが低減し、安全性も向上している。
【先行技術文献】
【特許文献】
【０００５】
【特許文献１】実開平６−３６７９０
【発明の概要】
【発明が解決しようとする課題】
【０００６】
しかし、特許文献１に係る工具袋によれば、小さい工具の個別収納は可能であるが、比較的サイズの大きい金車、台付きワイヤ、がいし等の工具等は工具収納ポケット内に収納することができないので、これらをワイヤ等の巻回資材と一緒に工具袋５０の中央部に収納する結果、これらがワイヤ等の巻回資材を取り出す時に引っ掛かり、工具袋から落下するおそれがあった。
【０００７】
しかし、工具収納ポケットは固定されていてその大きさは変更できないので、大きい工具等を収納する場合はその工具等の大きさに応じた大きさの工具収納ポケットを有する工具袋を別途準備する必要があるが、工具袋としてはその様な様々なポケットサイズのものが存在しているわけではない。
【０００８】
本発明は、かかる課題に鑑みてなされたものであり、その目的は工具等のサイズに応じて効率的且つ速やかに分割収納することができる工具袋を提供することである。
【課題を解決するための手段】
【０００９】
上記目的を解決するための請求項１に記載の工具袋は、筒状の側壁と底部を有する袋体として構成された工具袋本体と、該工具袋本体の内部を区画する矩形シート状の間仕切りと、を有し、該間仕切りの下縁が、前記底部に該底部縁部の所定の位置から中央近傍まで固着され、前記間仕切りの一方の側縁が、前記工具袋本体の側壁内面と、前記底部縁部の所定の位置から前記工具袋本体における側壁内面の高さ方向に亘って着脱自在に接合可能とされ、前記間仕切りにおける他方の側縁が、前記底部縁部の所定の位置とは異なる少なくとも２カ所以上の前記底部縁部の位置で選択的に前記側壁内面と該工具袋本体の高さ方向に亘って着脱自在に接合可能とされたことを特徴とする。
【００１０】
この構成によれば、間仕切りの一方の側縁と他方の側縁が工具袋本体の側壁内面と高さ方向に亘って着脱自在に接合可能であるので、それら間仕切りの側縁と内側壁の接合という簡単な動作により速やかに工具袋の収納スペースを分割することができる。更に、間仕切りの下縁が工具袋本体の底部にその底部縁部から中央近傍まで固着されているので、上記間仕切りの各側縁の接合を解除して工具袋の収納スペース全体を一つの空間とした際にも、間仕切りが工具袋本体から分離することがないので紛失するおそれもない。更に、上述のように、間仕切りの下縁は工具袋本体の底部縁部から中央近傍までが固着されているので、間仕切りの他方の側縁側は自由端となっており、この他方の側縁を少なくとも側壁内面の２カ所以上の位置で選択的に接合させるという簡単な動作で、工具袋内の収納スペースの分割領域を速やかに変更することができる。従って、一つの工具袋によって収納される工具等の種類や大きさに応じた適切な収納スペースの分割が可能となる。
【００１１】
請求項２に記載の発明は、請求項１に記載の工具袋において、前記間仕切りの前記一方の側縁及び前記他方の側縁の前記接合は、各々の接合箇所に設けられたスライドファスナーによって行われることを特徴とする。この構成によれば、間仕切りの側縁と側壁内面の接合および接合の解除を、スライドファスナーの上下動というさらに簡単な動作で行うことができ、従って、収納スペースの分割領域の変更も容易である。そして、間仕切りの側縁と側壁内面はスライドファスナーにより強固に接合されるので、重量のある工具を多数収納する際にもその重みにより接合が解除されるおそれが少ない。
【００１２】
請求項３に記載の発明は、請求項１に記載の工具袋において、前記間仕切りの前記一方の側縁及び前記他方の側縁の前記接合は、前記間仕切りの前記一方の側縁及び前記他方の側縁に設けられた側縁面ファスナーと、前記工具袋本体の側壁内面に設けられた側壁内面面ファスナーとの係着によって行われ、前記側壁内面面ファスナーは、前記底部端部の所定の位置から半周に亘って設けられていることを特徴とする。
【００１３】
この構成によれば、間仕切りの他方の側縁と、工具袋本体の側壁内面との接合位置を、その内側壁の半周に亘って自由に選択することができる。従って、収納する内容物の大きさ及び数に応じ、より適切に、より自由に工具袋の収納スペースの分割割合を調節することができる。
【発明の効果】
【００１４】
本発明によれば、間仕切りの側縁と工具袋本体の側壁内面の接合という簡単な動作により速やかに工具袋の収納スペースを分割することができる。また、他方の側縁の接合が２カ所以上の位置で選択可能であり、工具袋内の収納スペースの分割領域を速やかに変更することができる。更に、間仕切りの下縁の底部への固着により、接合解除時の紛失を防止することができる。これにより、一つの工具袋を様々に区分することで、工具等のサイズに応じた様々な収納スペースに対応することができる。
【図面の簡単な説明】
【００１５】
【図１】（Ａ）本発明の実施の形態に係る工具袋１０を説明するための図である。（Ｂ）図１（Ａ）の工具袋１０の収納スペースの大きさを変更した状態を説明するための図である。
【図２】図１（Ａ）に記載の工具袋１０の、間仕切り１４と工具袋本体１２の側壁１２ａ内面との接合を解除した状態を説明するための図である。
【図３】本発明の実施の形態に係る工具袋１０の他の実施の形態を、開口部１２ｃ側から見た図である。
【図４】（Ａ）本発明の実施の形態に係る工具袋４０の他の実施の形態を示す図である。（Ｂ）図４（Ａ）に記載の工具袋４０の間仕切り１４を説明するための図である。
【図５】従来の工具収納ポケットを取り付けた工具袋５０を示す図である。
【発明を実施するための形態】
【００１６】
次に、本発明の実施の形態について、図面に基づいて詳細に説明する。図１（Ａ）及び（Ｂ）は、本発明の実施の形態に係る工具袋１０を説明するための図である。同図（Ａ）に示した工具袋１０は、略円筒状の側壁１２ａと、略円形の底部１２ｂとを有する工具袋本体１２を備え、上部に工具等が出し入れされる略円形の開口部１２ｃが形成されている。この開口部１２ｃ近傍には、ハトメ孔１６−１、１６−２が対向する位置に設けられており、工具袋１０を吊り下げるための吊りロープ１８がハトメ孔１６−１、１６−２を挿通して取り付けられている。工具袋本体１２は、金車、がいし等の工具を収納しても破損すること無きよう、帆布等の頑丈な布地が用いられている。
【００１７】
本願発明の特徴的な事項は、間仕切り１４が工具袋本体１２内に設けられていることである。この工具袋本体１２の内部空間を分割するための間仕切り１４のサイズは、本実施の形態では、横幅は底部１２ｂの直径と略同幅であり、高さは底部１２ｂから側壁１２ａの高さの９分目程度に設定されている。間仕切り１４は、その下縁の一方の端部から下縁中心Ｐ１までの長さ領域Ｅが、工具袋本体１２の底部１２ｂの縁部の所定位置Ｐ２から底部１２ｂの中心Ｐ１までの箇所と縫合されて固着されている。そして、この間仕切り１４の一方の側縁、すなわち、底部１２ｂの上記所定位置Ｐ２の上方に位置する側縁１４ａには、その全長に亘ってスライドファスナーを構成する務歯１５が設けられている。また、間仕切り１４の他方の側縁１４ｂにも同様に全長に亘って務歯１７が設けられている。
【００１８】
一方、工具袋本体１２における側壁１２a内面の底部１２ｂの縁部の所定位置Ｐ２から側壁１２ａの９分目程度の高さ位置、すなわち、間仕切り１４の上縁の高さ位置まで、務歯１５と噛合可能な務歯１９が設けられ、噛合された状態が図示されている。さらに、工具袋本体１２の側壁１２ａ内面には、務歯１９が取付けられた位置から、底部１２ｂの中心Ｐ１を軸として逆時計回りに４５度、９０度、及び１８０度移動する毎に務歯２１、務歯２３及び務歯２５がそれぞれ設けられている。これらは務歯１７と噛合可能であり、従って、務歯１７は務歯２１、務歯２３及び務歯２５から選択される任意の務歯と噛合させることができる。
【００１９】
この構成によれば、例えば、図１（Ａ）では、上述のように間仕切り１４の務歯１５及び１７が、側壁１２ａ内面に設けられた務歯１９及び２３とそれぞれ噛合されており、工具袋１０内の収納スペースを約１：３の割合で分割することができる。この分割は、スライドファスナーのスライダー２２の上下動という簡単な動作により速やかに行うことができる。
【００２０】
ここで、図１（Ａ）の状態において、収納される２つ工具、例えば、巻回されたワイヤ及びがいしのうちのいずれも小さい方の収納スペースに入らない大きさである場合には、そのままの状態でこれらを分割収納することができない。この場合、図１（Ｂ）に示すように、間仕切り１４による工具袋１０内の収納スペースの分割割合を約１：１に変更させることにより、両者の分割収納を可能とすることができる。この分割割合の変更は、スライドファスナーのスライダー２２の上下動により、間仕切り１４の務歯１７と側壁１２ａ内面に設けられた務歯２３との噛合を解除し、務歯１７を務歯２５と噛合させるという簡単な動作により速やかに行うことができる。
【００２１】
図２は、図１（Ａ）に記載の工具袋１０の、間仕切り１４と工具袋本体１２の側壁１２ａ内面との接合を解除した状態を説明するための図である。図示のように、間仕切り１４に設けられた務歯と工具袋本体１２の側壁１２ａ内面に設けられた務歯との噛合を全て解除すれば、工具袋１０内部全体を一つの収納スペースとして使用することができるので、特に大きい工具等を収納する際に有効である。この解除動作も、側壁１２ａ内面と間仕切り１４の側縁に設けられたスライドファスナーのスライダー２２を下動するという簡単な動作により速やかに実施することができる。この状況で、間仕切り１４の下縁の領域Ｅが、底部１２ｂに縫合されて固着されているので、工具袋１０内部全体を一つの収納スペースとして使用している状況においても間仕切り１４と工具袋本体１２とは結合された状態が保たれており、間仕切り１４を紛失するこということも防止される。
【００２２】
工具袋１０内の収納スペースの分割割合の変更は、上述の務歯１７と工具袋本体１２の側壁１２ａ内面に設けられた３カ所の務歯（務歯２１、２３、及び２５）との噛合位置の選択により、約１：７〜１：１まで可能である。
【００２３】
図３は、本発明の実施の形態に係る工具袋１０の他の実施の形態を、開口部１２ｃ側から見た図である。図示のように、工具袋本体１２に設けられた３カ所の務歯（務歯２１、２３、及び２５）に加えて、更に務歯２７を設けることにより、工具袋１０内の収納スペースの分割割合の変更をさらに細かく行うことができ、分割収納する工具等の大きさ、数等に応じてさらに効率的な収納スペースの活用が可能となる。この側壁１２ａに設ける務歯の数及び位置は、要求に応じ適宜変更することができる。
【００２４】
本実施の形態では、間仕切り１４と、工具袋本体１０の側壁１２ａ内面との接合を、双方に設けられた務歯からなるスライドファスナーの噛合による構成として例示したが、これに限定されるものではなく、種々の変形の適用が可能である。
【００２５】
以下に他の実施の形態を図４に基づいて説明する。同図において上述の図１に示した実施例と同様の要素には、同一の符号を付しその説明を省略する。同図（Ａ）は本発明の他の実施の形態に係る工具袋４０を示す図であり、同図（Ｂ）は同図（Ａ）に記載の工具袋４０の間仕切り１４を説明するための図である。図示のように、底部１２ｂ縁部の所定位置Ｐ２の上方に位置する、間仕切り１４の側縁１４ａには、フック状の雄材を有する幅１.５ｃｍ程の側縁面ファスナー２９がその側縁全長に亘って設けられ、他方の側縁１４ｂにも同様にその全長に亘って側縁面ファスナー３１が設けられている。一方、工具袋本体１２の側壁１２ａ内面には、底部１２ｂ縁部の所定位置Ｐ２から側壁１２ａ内面の９分目程度の高さ位置、すなわち、間仕切り１４の上縁の高さ位置まで、ループ状の雌材を有するループ面が設けられている。このループ面は、底部１２ｂ縁部の所定位置Ｐ２から半周に亘って設けられ、側壁内面面ファスナー３３を構成している。側縁面ファスナー２９及び３１と側壁内面面ファスナー３３とは、それぞれに設けられたフック状の雄材とループ状の雌材により係着可能であり、着脱自在である。
【００２６】
この構成によると、底部１２ｂ縁部の所定位置Ｐ２の上方に位置する側壁内面面ファスナー３３の面を、間仕切り１４の側縁面ファスナー２９と係着させた状態で、側縁面ファスナー３１を側壁内面面ファスナー３３の何れかの部位と面的に係着させることにより、工具袋本体１２内の収納スペースの分割割合を変更することができる。従って、より収納スペースの分割割合の変更の自由度の高い工具袋１０を提供することができる。そして、この収納スペースの分割割合の変更は、間仕切り１４に設けられた側縁面ファスナー３１と側壁１２ａ内面に設けられた側壁内面面ファスナー３３との係着状態を解除し、側縁面ファスナー３１を内側壁面ファスナー３３の最初に係着された面とは異なる面で再度係着させるという簡単な動作により速やか行うことができる。なお、符号２４は工具袋本体１２の側壁１２ａ外面にボルトやナット等の小物資材を収容するために設けたポケットである。
【００２７】
本発明は上記実施の形態に限定されることはなく、発明の趣旨を逸脱しない範囲で種々変更可能である。例えば、間仕切り１４の側縁（１４ａ及び１４ｂ）と側壁１２ａ内面との接合は、着脱自在に接合可能な形態であればどのような形態のものでもよく、例えば、間仕切り１４の側縁（１４ａ及び１４ｂ）と側壁１２ａ内面に接合部として相互に対応するスナップボタン（図示せず）が連続して設けられていても良い。
【符号の説明】
【００２８】
１０、４０  工具袋
１２  工具袋本体
１２ａ  側壁
１４  間仕切り
１５、１７  （間仕切り１４に設けられた）務歯（スライドファスナー）
１９、２１、２３、２５、２７  （側壁１２ａ内面に設けられた）務歯（スライドファスナー）
２９、３１  側縁面ファスナー
３３  側壁内面面ファスナー
【図１】
2012076182.tif 000003
【図２】
2012076182.tif 000004
【図３】
2012076182.tif 000005
【図４】
2012076182.tif 000006
【図５】
2012076182.tif 000007